(57)【要約】【課題】  スイッチ傾倒時に接点が導通するスイッチにおいて、小形でかつ接触信頼性を高めた振り子式転倒検出スイッチを提供することを目的とする。【解決手段】 ベース６の略中央部に凹部を設け、該凹部に可動接片５を配設する。該可動接片５の上面にはゴムカバー４が嵌着されている。そして、前記可動接片５を押圧するため、操作部３を前記ゴムカバー４上面に配設し、該操作部３をカバー１の略中央部に設けた貫通孔１ａから突出させ、前記ベース６と前記カバー１を嵌着させる。そして、操作部３の軸３ｂに錘２をネジで嵌合し、該操作部３を鉛直下方に向け、スイッチ水平時には該操作部先端の凸部３ｄが可動接片５を押圧せず、オフの状態となるが、スイッチ傾倒時には、操作部３は鉛直下方を向いたまま該操作部先端の凸部３ｄがゴムカバー４を押圧し、その付勢により該ゴムカバー４が前記可動接片５を押圧することにより固定接片６ｅと接触しオンとなる。【選択図】      図３
2006236640.tif 000002
【特許請求の範囲】
【請求項１】
ベースの上面に凹部を設け、該凹部内の略中央部とその周辺に一対の固定接片を配備するとともに、該固定接片のそれぞれに接続された端子を前記ベースの周囲に配設し、前記凹部内に配設した固定接片上に載置させた略ドーム状の可動接片を介して前記凹部を絶縁性のゴムカバーで覆い、該ゴムカバーを介して前記可動接片を押圧する操作部を配設するとともに該操作部に鍔部を設けて突出させる貫通孔を形成したカバーを前記ベースに嵌合させて構成したスイッチにおいて、前記ゴムカバーを押圧する前記操作部の鍔部の先端に凸部を設けるとともに、他端に自重により前記操作部が傾倒自在をなす錘を配設し、該錘を垂下させて前記スイッチを機器に取り付けて該スイッチの傾きにより前記操作部が常に錘の自重で垂下した状態を維持して前記操作部の凸部が前記ゴムカバーを介して前記可動接片の略中央部を押圧して前期凹部内の略中央部に配設した固定接片と接触することを特徴とした振り子式転倒検出スイッチ。
【請求項２】
前記操作部の鍔部を球面状に形成し、前記貫通孔の内面に線接触させたことを特徴とする請求項１記載の振り子式転倒検出スイッチ。
【発明の詳細な説明】
【技術分野】
【０００１】
本発明は、先端に凸部を有する操作部に配設した傾倒自在の錘を垂下させて該錘の自重により垂下した状態を維持し、スイッチ傾倒時に前記操作部の凸部がスイッチ本体内の可動接片を押圧して固定接片と接触する振り子式転倒検出スイッチに関する。
【背景技術】
【０００２】
従来、スイッチ傾倒時にその傾倒を検出する振り子式転倒検出スイッチは、図４（ａ）に示すようにバネ可動接片１０１を使用し、該振り子式転倒検出スイッチ水平時には接点１０２が固定接点１０３と接触し、該振り子式転倒検出スイッチ傾倒時には、図４（ｂ）に示すように振り子１０７は自重により鉛直下方を向いたたまま押圧部１０５が受け部１０４を押圧し、その付勢によりバネ可動接片１０１も押圧され接点１０２と固定接点１０３が開離されていた。
【特許文献１】なし
【発明の開示】
【発明が解決しようとする課題】
【０００３】
しかしながら、上記の振り子式転倒検出スイッチは、図４（ａ）に示すように、電路の切替を行う可動接片にバネ可動接片１０１を使用しており、可動接片自体が横長で大きく、その結果スイッチ全体の外形が大きくなってしまい、省スペースを要する機器への接続は困難であった。また、ケースの略中央部の貫通孔１０９と該貫通孔１０９から突出させた押圧部１０５との間にＯリング等の防水、防塵用部材を配設していないため密閉性の問題から接触信頼性に不安があった。
【課題を解決するための手段】
【０００４】
本発明は上記目的を達成するために、電路の切替を行う可動接片に略ドーム状の可動接片を使用し、従来のバネ可動接片よりも小さくスイッチ全体を小形化できるようにした。さらに絶縁性のゴムカバーを可動接片を覆うように配設し、接点付近の密閉性を保つことのできる構造としたため、接触信頼性を高めたスイッチを提供できるようにした。
【発明の効果】
【０００５】
本発明の振り子式転倒検出スイッチは以下のような効果を奏することができる。
（１）電路の切替を行う可動接片に略ドーム状の可動接片を使用しているため、片側を固定して残った片側で接点を開閉していたバネ可動接片を用いていた従来の振り子式転倒検出スイッチよりも、接触機構部を省スペースで構成することができ、結果としてスイッチ全体の小形化を図ることができ、機器の軽薄短小化に貢献できる。
（２）ベース上面の凹部内に配設した固定接片上に可動接片を載置し、該可動接片を絶縁性のゴムカバーで覆ったため、接点付近の密閉性を保つことができ、防水性、防塵性に優れ、悪環境下においても接触信頼性の高い振り子式転倒検出スイッチを提供できる。
【発明を実施するための最良の形態】
【０００６】
本発明によれば、略ドーム状の可動接片を使用しているため、接触機構部を小形化することができ、さらに前記可動接片が絶縁性のゴムカバーで覆って接点付近の密閉性を保つ構造としたため、防水性、防塵性に優れ、極めて接触信頼性の高い振り子式転倒検出スイッチが得られる。
【実施例】
【０００７】
以下、本発明の実施例について、図面を参照しながら詳細に説明する。
【０００８】
図１は本発明の振り子式転倒検出スイッチの分解斜視図、図２は本発明の振り子式転倒検出スイッチのベースの平面図である。
【０００９】
図中６は本発明のスイッチにおけるベースであり、上面に凹部を有し、該凹部内の略中央部とさらには前記凹部内の周囲に一対の固定接片６ｅをインサート成形により配備し、該固定接片６ｅ各々から接触端子６ｆを接続し、また該固定接片６ｅ上には略ドーム状の可動接片５が配設される。該可動接片５は前記凹部外周に形成された立ち上げ縁部６ａにより前記凹部内の略中央部に固定される。前記可動接片５の上面には絶縁性のゴムカバー４の縁部４ａが立ち上げ縁部６ａと固定片６ｂとの間に密閉性を保つように嵌着されている。そして、前記ゴムカバー４を介して前記可動接片５を押圧するため鍔部３ｃを有した操作部３を前記ゴムカバー４上面に配設し、該操作部３をカバー１の略中央部に設けた貫通孔１ａから突出させる。そして、前記操作部３を前記カバー１の貫通孔１ａから突出させた後、前記ベースの突起６ｃと前記カバー１の内面に設けた凹部（図示なし）を嵌着させ、さらに前記カバー１側面の係合片１ｂの略中央部に設けた係合孔１ｃを前記ベース側面の爪６ｄと嵌着させる。そして、前記ベース６と前記カバー１の嵌着の後、カバー１の貫通孔１ａから突出した操作部３における軸３ｂの先端に設けた嵌合軸３ａと球状の錘２をネジ締め嵌合する。嵌合軸３ａと錘２を一体化させる方法としては、ネジ締めに限定することなく、圧入等のように凹凸関係により種々の方法が考えられる。
【００１０】
図３は本発明の振り子式転倒検出スイッチの動作図である。図３（ａ）は可動接片５が固定接片６ｅと導通していないオフの状態、図３（ｂ）は可動接片５が固定接片６ｅと導通しているオンの状態を示す。
【００１１】
図３（ａ）のように、スイッチ水平時には操作部３の先端の錘２の自重により垂下した状態であるので、該操作部３先端の凸部３ｄはゴムカバー４および可動接片５を押圧しないため、該可動接片は固定接片６ｅと導通せず、オフの状態となる。
【００１２】
一方、図３（ｂ）のようにスイッチ傾倒時には該スイッチは傾倒しているのに対し操作部３は自重により鉛直下方を向いたまま、球面状に形成された操作部３の鍔部３ｃが前記貫通孔１ａの内面を線接触し、該操作部先端の凸部３ｄがゴムカバー４を押圧し、その付勢により該ゴムカバー４を介して可動接片５を押圧することにより、該可動接片５が固定接片６ｅと接触して導通状態になり、オンとなる。
【００１３】
上記において、本発明の振り子式転倒検出スイッチの実施例を示したが、本発明の振り子式転倒検出スイッチを取り付ける各種機器の大きさに応じてスイッチの外形や端子の種類を変えることが可能であり、これらを本発明の範囲から排除するものではない。
【図面の簡単な説明】
【００１４】
【図１】本発明の振り子式転倒検出スイッチの分解斜視図である。
【図２】本発明の振り子式転倒検出スイッチのベースの平面図である。
【図３】本発明の振り子式転倒検出スイッチの動作図である。
【図４】従来の振り子式転倒検出スイッチの動作図である。
【符号の説明】
【００１５】
１      カバー
１ａ、１０９  貫通孔
１ｂ    係合片
１ｃ    係合孔
２      錘
３      操作部
３ａ    嵌合軸
３ｂ    軸
３ｃ    鍔部
３ｄ    凸部
４      ゴムカバー
４ａ    縁部
５      可動接片
６      ベース
６ａ    立ち上げ縁部
６ｂ    固定片
６ｃ    突起
６ｄ    爪
６ｅ    固定接片
６ｆ、１０６  接触端子
１０１  バネ可動接片
１０２  接点
１０３  固定接点
１０４  受け部
１０５  押圧部
１０７  振り子
１０８  ケース
【図１】
2006236640.tif 000003
【図２】
2006236640.tif 000004
【図３】
2006236640.tif 000005
【図４】
2006236640.tif 000006